(57)【特許請求の範囲】
【請求項１】
圧接コネクタに接続される圧接用電線と、前記圧接用電線と外観が異なる非圧接用電線とを含む電線束を電線選別部に供給する電線供給工程と、
前記電線選別部に設けた外観識別手段により前記電線束から前記圧接用電線を選別する電線選別工程と、
前記圧接コネクタを電線圧接作業部に載置するコネクタ載置工程と、
選別された前記圧接用電線を前記電線圧接作業部に載置された前記圧接コネクタに圧接する電線圧接工程と、
前記圧接コネクタに圧接された前記圧接用電線を前記非圧接用電線と共に布線板上の電線配索作業部に配索する電線配索工程と、
を含み、
前記電線束の複数の電線の各々は、直線状に延びる棒状の電線であり、
前記電線選別部は、供給される前記電線束の複数の電線を平面状に一列に整列させた状態で前記電線の長手方向と直交する方向に１本ずつ送り出す第１電線搬送路と、前記第１電線搬送路の出口付近に配置されて前記第１電線搬送路を送られてきた前記電線の外観を１本ずつ識別する前記外観識別手段と、前記第１電線搬送路の出口に連通して設けられた第１電線回収部と、前記第１電線搬送路の出口に連通して設けられて、供給される前記電線を１本ずつ送り出す第２電線搬送路と、前記外観識別手段の検出信号に基づいて、前記第１電線搬送路から送り出される前記圧接用電線が前記第２電線搬送路に供給され、前記非圧接用電線が前記第１電線回収部に供給されるように、前記第１電線回収部と前記第２電線搬送路とのいずれか１つを前記第１電線搬送路の出口に連通させる回収先切り替えゲートと、前記第２電線搬送路の出口に装備された前記電線圧接作業部と、を備え、
前記電線圧接工程では、前記第２電線搬送路から前記電線圧接作業部に１本ずつ送り出される前記圧接用電線が、ガイド部材を用いて１本ずつ前記圧接コネクタの上に位置決めされる、
圧接コネクタの取付方法。
【請求項２】
前記外観識別手段は、色識別手段であることを特徴とする請求項１に記載の圧接コネクタの取付方法。
【請求項３】
前記電線選別工程と、前記電線圧接工程とが、前記布線板上で行われることを特徴とする請求項１又は２に記載の圧接コネクタの取付方法。
【請求項４】
前記圧接コネクタはジョイントコネクタであることを特徴とする請求項１〜３のいずれか１項に記載の圧接コネクタの取付方法。
【発明の詳細な説明】
【技術分野】
【０００１】
本発明は、電線束に含まれる圧接用電線に圧接コネクタを取り付ける圧接コネクタの取付方法に関する。
【背景技術】
【０００２】
図９及び図１０は、下記特許文献１に開示された圧接コネクタの取付方法を示している。この圧接コネクタの取付方法は、電線束１００に含まれる複数本の圧接用電線１１１に、圧接コネクタ１２０を取り付けるものである。
【０００３】
電線束１００は、複数本の圧接用電線１１１と、複数本の非圧接用電線１１２とで構成される電線束である。複数本の圧接用電線１１１は、圧接コネクタ１２０によってジョイント接続される電線である。
【０００４】
圧接コネクタ１２０は、絶縁性樹脂で形成されたハウジング内に、複数の電線を圧接する複数の圧接刃を収容している。また、圧接コネクタ１２０内に収容される複数の圧接刃は、導電体により圧接刃同士が互いに導通接続されたジョイント端子である。
【０００５】
特許文献１の圧接コネクタの取付方法では、次に示す（Ａ１）〜（Ａ４）手順で、複数本の圧接用電線１１１に圧接コネクタ１２０を取り付ける。
【０００６】
（Ａ１）まず、布線板１３０上で、布線板１３０上に配置された３本の電線支持治具１４１，１４２，１４３によって、電線束１００を、鉤形に屈曲した経路Ｍ１に沿って配索する。３本の電線支持治具１４１，１４２，１４３は、これらの治具を結ぶ形状が直角三角形となるように配置されている。
【０００７】
（Ａ２）次いで、鉤形に配索した電線束１００から圧接用電線１１１を抽出して、抽出した複数本の圧接用電線１１１を、鉤形に屈曲した経路Ｍ２に沿って配索する。この鉤形の経路Ｍ２は、電線支持治具１４２の対角に配置された電線支持治具１４４と、経路Ｍ１の両端の電線支持治具１４１，１４３とで形成する直角三角形である。
経路Ｍ１と経路Ｍ２とは、同一の長さになる。
【０００８】
（Ａ３）次いで、経路Ｍ２の途中に圧接コネクタ１２０を配置して、経路Ｍ２上の各圧接用電線１１１を圧接コネクタ１２０に圧接する。
【０００９】
（Ａ４）次いで、圧接コネクタ１２０の取り付けが済んだ圧接用電線１１１の束は、経路Ｍ１の非圧接用電線１１２の束の上に戻して、図１０に示すようにテーピングや結束バンドなどの結束具１５０により非圧接用電線１１２に一括した電線束にする。
【００１０】
この特許文献１における圧接コネクタの取付方法では、経路Ｍ１と経路Ｍ２の長さが同一のため、圧接コネクタ１２０を取り付けた圧接用電線１１１を非圧接用電線１１２の束に戻したときに、圧接用電線１１１がだぶつく（はみ出す）ことを防止して、スッキリとした電線束を形成することができる。
【先行技術文献】
【特許文献】
【００１１】
【特許文献１】特開平１１−３９９６８号公報
【発明の概要】
【発明が解決しようとする課題】
【００１２】
ところが、特許文献１における圧接コネクタの取付方法では、圧接コネクタ１２０を取り付ける前に、電線束１００を鉤形の経路Ｍ１に沿う形状に曲げたり、圧接用電線１１１を鉤形の経路Ｍ２に沿う形状に曲げることが必要である。そのため、電線束１００の曲げ剛性が高く、曲げが困難な場合には、圧接コネクタ１２０の取り付けができないという問題があった。
【００１３】
また、特許文献１における圧接コネクタの取付方法では、図９に示したように鉤形に曲げて圧接コネクタ１２０の取り付けを行うため、鉤形に曲げずに略直線状の布線状態で圧接コネクタ１２０の取り付けを行う場合と比較すると、鉤形の曲げ形状を確保するための余長を確保することが必要となる。そのため、電線束１００を配索する配索対象物（例えば、車体）側における配索スペース上の制限、あるいは信号の伝送性能上の制限等で余長を付与することが困難な場合には、圧接コネクタ１２０の取り付けができないという問題があった。
【００１４】
そこで、本発明の目的は、上記課題を解消することに係り、曲げが困難な電線束や、余長の付与が困難な電線束であっても、これらの電線束に含まれる圧接用電線に簡単に圧接コネクタを取り付けることのできる圧接コネクタの取付方法を提供することにある。
【課題を解決するための手段】
【００１５】
本発明の前述した目的は、下記の構成により達成される。
（１）  圧接コネクタに接続される圧接用電線と、前記圧接用電線と外観が異なる非圧接用電線とを含む電線束を電線選別部に供給する電線供給工程と、
前記電線選別部に設けた外観識別手段により前記電線束から前記圧接用電線を選別する電線選別工程と、
前記圧接コネクタを電線圧接作業部に載置するコネクタ載置工程と、
選別された前記圧接用電線を前記電線圧接作業部に載置された前記圧接コネクタに圧接する電線圧接工程と、
前記圧接コネクタに圧接された前記圧接用電線を前記非圧接用電線と共に布線板上の電線配索作業部に配索する電線配索工程と、
を含み、
前記電線束の複数の電線の各々は、直線状に延びる棒状の電線であり、
前記電線選別部は、供給される前記電線束の複数の電線を平面状に一列に整列させた状態で前記電線の長手方向と直交する方向に１本ずつ送り出す第１電線搬送路と、前記第１電線搬送路の出口付近に配置されて前記第１電線搬送路を送られてきた前記電線の外観を１本ずつ識別する前記外観識別手段と、前記第１電線搬送路の出口に連通して設けられた第１電線回収部と、前記第１電線搬送路の出口に連通して設けられて、供給される前記電線を１本ずつ送り出す第２電線搬送路と、前記外観識別手段の検出信号に基づいて、前記第１電線搬送路から送り出される前記圧接用電線が前記第２電線搬送路に供給され、前記非圧接用電線が前記第１電線回収部に供給されるように、前記第１電線回収部と前記第２電線搬送路とのいずれか１つを前記第１電線搬送路の出口に連通させる回収先切り替えゲートと、前記第２電線搬送路の出口に装備された前記電線圧接作業部と、を備え、
前記電線圧接工程では、前記第２電線搬送路から前記電線圧接作業部に１本ずつ送り出される前記圧接用電線が、ガイド部材を用いて１本ずつ前記圧接コネクタの上に位置決めされる、
圧接コネクタの取付方法。
【００１６】
（２）  前記外観識別手段は、色識別手段であることを特徴とする上記（１）に記載の圧接コネクタの取付方法。
【００１７】
（３）  前記電線選別工程と、前記電線圧接工程とが、前記布線板上で行われることを特徴とする上記（１）又は（２）に記載の圧接コネクタの取付方法。
【００１８】
（４）  前記圧接コネクタはジョイントコネクタであることを特徴とする上記（１）〜（３）のいずれかに記載の圧接コネクタの取付方法。
【００１９】
上記（１）の構成によれば、電線供給工程、電線選別工程、コネクタ載置工程、電線圧接工程、の各工程を順に実施することで、電線束に含まれる圧接用電線に圧接コネクタを取り付けることができる。
【００２０】
そして、以上のいずれの工程も、電線束を鉤形に曲げる作業を含まない。
従って、曲げが困難な電線束であっても、電線束を曲げる労力が不要で、電線束に含まれる圧接用電線に簡単に圧接コネクタを取り付けることができる。
【００２１】
また、電線束を曲げずに圧接コネクタの取り付けを行うため、特に余長を付与しておく必要がなく、余長の付与が困難な電線束であっても、電線束に含まれる圧接用電線に圧接コネクタを取り付けることができる。
【００２２】
また、余長を付与しないため、圧接コネクタの取り付け後に余長を処理する必要もなく、圧接コネクタを取り付けたワイヤハーネス等の生産性を向上させることができる。
【００２３】
上記（２）の構成によれば、電線選別部には、外観識別手段として色識別手段が装備されているため、例えば、電線束を構成する圧接用電線と非圧接用電線とで外観の色を相異させておくだけで、電線選別部に供給された電線から確実に圧接用電線を選別することができ、電線選別部における選別性能を向上させることができる。
【００２４】
上記（３）の構成によれば、電線配索作業用の布線板上で電線選別工程や電線圧接工程が順に実施され、電線圧接工程によって圧接コネクタの圧接処理が終了すると、同一の布線板上で直ちに電線配索工程を開始することができ、工程間におけるワークの移動の手間が省略される分、圧接コネクタを取り付けたワイヤハーネスの生産性を向上させることができる。
【００２５】
上記（４）の構成によれば、電線束に含まれる複数の圧接用電線に圧接コネクタを取り付けることで、複数の圧接用電線相互がジョイント接続され、ジョイント接続された電線を含むワイヤハーネスの生産を容易にすることができる。
【発明の効果】
【００２６】
本発明による圧接コネクタの取付方法によれば、曲げが困難な電線束や、余長の付与が困難な電線束であっても、これらの電線束に含まれる圧接用電線に簡単に圧接コネクタを取り付けることができる。
【００２７】
以上、本発明について簡潔に説明した。さらに、以下に説明される発明を実施するための形態（以下、「実施形態」という。）を添付の図面を参照して通読することにより、本発明の詳細は更に明確化されるであろう。
【図面の簡単な説明】
【００２８】
【図１】図１は本発明に係る圧接コネクタの取付方法の第１実施形態の処理手順を示すフローチャートである。
【図２】図２は本発明の第１実施形態の圧接コネクタの取付方法における電線供給工程及び電線選別工程に使う電線選別部の概略構成図である。
【図３】図３は本発明の第１実施形態の圧接コネクタの取付方法で使用する圧接コネクタの分解斜視図である。
【図４】図４は本発明の第１実施形態の圧接コネクタの取付方法における電線圧接工程の説明図である。
【図５】図５は本発明の第１実施形態における電線圧接工程で圧接用電線が圧接された圧接コネクタのコネクタ本体の平面図である。
【図６】図６は本発明の第１実施形態における電線配索工程の説明図である。
【図７】図７は本発明の第１実施形態における電線配索工程での処理の説明図である。
【図８】図８は本発明に係る圧接コネクタの取付方法の第２実施形態を示す斜視図である。
【図９】図９は従来の圧接コネクタの取付方法の説明図である。
【図１０】図１０は図９に示した圧接コネクタの取付方法で形成されたワイヤハーネスの外観図である。
【発明を実施するための形態】
【００２９】
以下、本発明に係る圧接コネクタの取付方法の好適な実施形態について、図面を参照して詳細に説明する。
【００３０】
［第１実施形態］
図１〜図７は本発明に係る圧接コネクタの取付方法の第１実施形態を示したもので、図１は本発明に係る圧接コネクタの取付方法の第１実施形態の処理手順を示すフローチャート、図２は本発明の第１実施形態の圧接コネクタの取付方法における電線供給工程及び電線選別工程に使う電線選別部の概略構成図、図３は本発明の第１実施形態の圧接コネクタの取付方法で使用する圧接コネクタの分解斜視図、図４は本発明の第１実施形態の圧接コネクタの取付方法における電線圧接工程の説明図、図５は本発明の第１実施形態における電線圧接工程で圧接用電線が圧接された圧接コネクタのコネクタ本体の平面図、図６は本発明の第１実施形態における電線配索工程の説明図、図７は本発明の第１実施形態における電線配索工程での処理の説明図である。
【００３１】
この第１実施形態の圧接コネクタの取付方法は、図２に示す電線束２０に含まれる複数の圧接用電線２１を圧接コネクタ３０（図４参照）に接続して、圧接コネクタ３０により圧接用電線２１同士をジョイント接続したワイヤハーネス２００（図７参照）を得るものである。第１実施形態の圧接コネクタの取付方法は、図１に示す手順で、複数の圧接用電線２１に圧接コネクタ３０を取り付ける。
【００３２】
まず、電線束２０及び圧接コネクタ３０について説明した後、図１に示した取り付け方法を説明する。
【００３３】
圧接コネクタ３０の取り付け対象となる電線束２０は、図２に示すように、複数の圧接用電線２１と、複数の非圧接用電線２２と、から構成されている。複数の圧接用電線２１は、互いにジョイント接続する被覆電線である。本実施形態の場合、圧接用電線２１と非圧接用電線２２とは、互いに異なる外観が付与される。本実施形態の場合、圧接用電線２１と非圧接用電線２２とは、絶縁外被の着色を相異させていて、外被の色によっていずれの電線であるか識別可能である。
【００３４】
圧接用電線２１に取り付ける圧接コネクタ３０は、図３に示すように、複数のジョイント端子３１と、これらのジョイント端子３１を支持した樹脂製のコネクタ本体３２と、該コネクタ本体３２の上面開口部３２１を覆う樹脂製のカバー３３と、を備えている。
【００３５】
ジョイント端子３１は、被覆電線である圧接用電線２１を圧接可能な複数の圧接刃部３１１が、連設導体３１２により結合された構成で、各圧接刃部３１１に圧接された圧接用電線２１同士を導通させる。圧接刃部３１１は、電線を割り込ませる隙間３１１ｓを挟んで対向する一対の圧接刃３１１ａ，３１１ｂを備えていて、上方から隙間３１１ｓに圧接用電線２１を割り込ませることで、圧接刃３１１ａ，３１１ｂが圧接用電線２１の導体に接触して、圧接用電線２１が圧接刃部３１１に導通接続された状態を得る。
【００３６】
コネクタ本体３２は、前述のジョイント端子３１の各圧接刃部３１１に圧接用電線２１を圧接可能に、各圧接刃部３１１を上方に向けて各ジョイント端子３１を支持している。このコネクタ本体３２は、各圧接刃部３１１に圧接用電線２１を装着可能なように、上方を開放している。コネクタ本体３２は、各圧接刃部３１１の配置に対応して、圧接刃部３１１に接続した圧接用電線２１を支持する電線支持用切欠３２４を有している。
【００３７】
また、コネクタ本体３２は、その外周部に、カバー３３を係止するカバー係止部３２２，３２３を備えている。
【００３８】
カバー３３は、コネクタ本体３２の上部を覆うカバー本体部３３１と、当該カバー３３をコネクタ本体３２の上部に組み付けた際にカバー係止部３２２，３２３と係合して、該カバー３３をコネクタ本体３２に固定する本体係合部３３２，３３３と、を備えている。
【００３９】
以上に説明した本実施形態の圧接コネクタ３０は、ジョイント端子３１によって、複数の圧接用電線２１相互をジョイント接続するジョイントコネクタである。
【００４０】
次に、図１に示した第１実施形態の圧接コネクタの取付方法について説明する。
本実施形態の圧接コネクタの取付方法は、図１に示すように、電線供給工程Ｓ２０１、電線選別工程Ｓ２０２、コネクタ載置工程Ｓ２０３、電線圧接工程Ｓ２０４、電線配索工程Ｓ２０５を順に実施することで、図７に示したワイヤハーネス２００を得る。
【００４１】
電線供給工程Ｓ２０１は、圧接コネクタ３０に接続される圧接用電線２１と、圧接用電線２１と外観が異なる非圧接用電線２２とを含む電線束２０を、図２に示した電線選別部５０に供給する工程である。
【００４２】
図２の電線選別部５０は、供給される電線束２０の複数の電線を平面状に一列に整列させた状態で電線の長手方向と直交する方向に１本ずつ送り出す第１電線搬送路５１と、該第１電線搬送路５１の出口５１１付近に配置されて第１電線搬送路５１を送られてきた電線の外観を識別する外観識別手段５２と、第１電線搬送路５１の出口に連通して設けられた第１電線回収部５３と、第１電線搬送路５１の出口５１１に連通して設けられた第２電線搬送路５４と、外観識別手段５２の検出信号に基づいて第１電線回収部５３と第２電線搬送路５４とのいずれか１つを第１電線搬送路５１の出口５１１に連通させる回収先切り替えゲート５５と、第２電線搬送路５４の出口５４１に装備された電線圧接作業部５６と、を備えている。
【００４３】
外観識別手段５２は、本実施形態の場合、第１電線搬送路５１を送られてきた電線の外被の色を識別して、識別結果に応じた信号を出力する色識別手段（例えばビデオカメラ）である。
【００４４】
第１電線回収部５３は、第１電線搬送路５１に供給された非圧接用電線２２を回収するための空間である。
【００４５】
第２電線搬送路５４は、第１電線搬送路５１に供給された圧接用電線２１を一本ずつ送り出す電線搬送路である。
【００４６】
回収先切り替えゲート５５は、第１電線搬送路５１から送り出される圧接用電線２１は第２電線搬送路５４に供給され、非圧接用電線２２は第１電線回収部５３に供給されるように、外観識別手段５２の出力信号に基づいて、第１電線回収部５３又は第２電線搬送路５４のいずれか一方を第１電線搬送路５１に連通させる。
【００４７】
電線圧接作業部５６は、図１に示したコネクタ載置工程Ｓ２０３や電線圧接工程Ｓ２０４を実施する作業空間である。
【００４８】
電線選別工程Ｓ２０２は、電線選別部５０に設けた外観識別手段５２により電線束２０から圧接用電線２１を選別する工程であり、選別された圧接用電線２１は、回収先切り替えゲート５５により、第２電線搬送路５４に送る。
【００４９】
また、この電線選別工程Ｓ２０２では、外観識別手段５２により選別された非圧接用電線２２は、回収先切り替えゲート５５により、第１電線回収部５３に送る。
【００５０】
コネクタ載置工程Ｓ２０３は、図３に示した圧接コネクタ３０のコネクタ本体３２を、電線圧接作業部５６に載置する工程である。
【００５１】
電線圧接工程Ｓ２０４は、選別されて第２電線搬送路５４に供給された前記圧接用電線２１を、電線圧接作業部５６に載置された圧接コネクタ３０（コネクタ本体３２）に圧接する工程である。
【００５２】
第２電線搬送路５４から電線圧接作業部５６に供給された圧接用電線２１は、不図示のガイド部材等によって、一本ずつ、コネクタ本体３２上の各圧接刃部３１１の上に位置決めされる。そして、コネクタ本体３２上の各圧接刃部３１１の上に位置決めされた圧接用電線２１は、電線の長手方向に緊張させた状態で、図４に示すように、プレス部材６１，６２による押圧力で各圧接刃部３１１内に押し込まれて、各圧接刃部３１１に圧接される。そして、図５に示すように、ジョイント端子３１の各圧接刃部３１１に圧接用電線２１が圧接されると、コネクタ本体３２の上にカバー３３（図３参照）が組み付けられて、圧接部が保護される。
【００５３】
電線配索工程Ｓ２０５は、電線圧接工程Ｓ２０４により圧接コネクタ３０に圧接された圧接用電線２１を、図６に示すように、非圧接用電線２２と共に布線板７０上の電線配索作業部７１に配索する。
【００５４】
布線板７０は、本実施形態の場合は、電線圧接作業部５６とは別の場所に設置される作業台であり、例えば、ベルトコンベヤ等によって移動可能に支持される。従って、電線圧接作業部５６において電線圧接工程Ｓ２０４を済ませた電線束２０は、電線圧接作業部５６から別の場所の布線板７０に移動して、電線配索工程Ｓ２０５が実施される。
【００５５】
また、布線板７０上の電線配索作業部７１は、圧接用電線２１や非圧接用電線２２を所定の配索形状に支持するために、電線の分岐箇所等に応じて布線板７０上に電線支持治具７２を立設したものである。電線配索作業部７１に配索された圧接用電線２１や非圧接用電線２２は、図７に示すように、テーピング等の外装８１が施されて、圧接コネクタ３０が電線束に固定されたワイヤハーネス２００に仕上げられる。
【００５６】
電線配索工程Ｓ２０５で電線束２０に施す外装８１は、テーピングに限るものではなく、例えば、電線束を包むシート状の保護部材や、電線束に被嵌される保護チューブや、結束バンド等も使用可能である。
【００５７】
以上に説明した第１実施形態の圧接コネクタの取付方法では、図１に示した電線供給工程Ｓ２０１、電線選別工程Ｓ２０２、コネクタ載置工程Ｓ２０３、電線圧接工程Ｓ２０４、の各工程を順に実施することで、電線束２０に含まれる圧接用電線２１に圧接コネクタ３０を取り付けることができる。
【００５８】
そして、以上のいずれの工程も、電線束２０を鉤形に曲げる作業を含まない。
従って、曲げが困難な電線束２０であっても、電線束２０を曲げる労力が不要で、電線束２０に含まれる圧接用電線２１に簡単に圧接コネクタ３０を取り付けることができる。
【００５９】
また、電線束２０を曲げずに圧接コネクタ３０の取り付けを行うため、特に余長を付与しておく必要がなく、余長の付与が困難な電線束２０であっても、電線束２０に含まれる圧接用電線２１に圧接コネクタ３０を取り付けることができる。
【００６０】
また、余長を付与しないため、圧接コネクタ３０の取り付け後に余長を処理する必要もなく、圧接コネクタ３０を取り付けたワイヤハーネス等の生産性を向上させることができる。
【００６１】
また、第１実施形態の圧接コネクタの取付方法の場合、電線選別部５０には、外観識別手段５２として色識別手段が装備されているため、電線束２０を構成する圧接用電線２１と非圧接用電線２２とで外観の色を相異させておくだけで、電線選別部５０に供給された電線から確実に圧接用電線２１を選別することができ、電線選別部５０における選別性能を向上させることができる。
【００６２】
また、第１実施形態の圧接コネクタの取付方法の場合、圧接用電線２１に取り付ける圧接コネクタ３０がジョイントコネクタであり、電線束２０に含まれる複数の圧接用電線２１に圧接コネクタ３０を取り付けることで、複数の圧接用電線２１相互がジョイント接続され、ジョイント接続された電線を含むワイヤハーネスの生産を容易にすることができる。
【００６３】
［第２実施形態］
図８は、本発明に係る圧接コネクタの取付方法の第２実施形態を示す斜視図である。
【００６４】
この第２実施形態の圧接コネクタの取付方法は、第１実施形態に示した布線板７０を、図２に示した電線選別部５０の電線圧接作業部５６に設置して、圧接用電線２１と非圧接用電線２２とを分ける電線選別工程Ｓ２０２と、選別した非圧接用電線２２に圧接コネクタ３０を圧接する電線圧接工程Ｓ２０４とを、布線板７０上で行うようにしたものである。
【００６５】
この第２実施形態の圧接コネクタの取付方法では、電線配索作業用の布線板７０上で電線選別工程Ｓ２０２や電線圧接工程Ｓ２０４が順に実施され、電線圧接工程Ｓ２０４によって圧接コネクタ３０の圧接処理が終了すると、同一の布線板７０上で直ちに電線配索工程Ｓ２０５を開始することができ、工程間におけるワークの移動の手間が省略される分、圧接コネクタ３０を取り付けたワイヤハーネスの生産性を向上させることができる。
【００６６】
上記第２実施形態の構成によれば、電線束２０に含まれる複数の圧接用電線２１に圧接コネクタ３０を取り付けることで、複数の圧接用電線２１相互がジョイント接続され、ジョイント接続された電線を含むワイヤハーネスの生産を容易にすることができる。
【００６７】
なお、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
【００６８】
例えば、圧接用電線２１と非圧接用電線２２とを識別するための情報は、上記実施形態では外観の色であったが、視覚的に識別可能であればよく、例えば、電線径の太さを変えたり、あるいは外被に施す模様を変えて、電線の径や模様によって圧接用電線２１と非圧接用電線２２とを識別するようにしても良い。
【００６９】
ここで、上述した本発明に係る圧接コネクタの取付方法の実施形態の特徴をそれぞれ以下［１］〜［４］に簡潔に纏めて列記する。
【００７０】
［１］  圧接コネクタ（３０）に接続される圧接用電線（２１）と、前記圧接用電線（２１）と外観が異なる非圧接用電線（２２）とを含む電線束（２０）を電線選別部（５０）に供給する電線供給工程（Ｓ２０１）と、
前記電線選別部（５０）に設けた外観識別手段（５２）により前記電線束（２０）から前記圧接用電線（２１）を選別する電線選別工程（Ｓ２０２）と、
前記圧接コネクタ（３０）を電線圧接作業部（５６）に載置するコネクタ載置工程（Ｓ２０３）と、
選別された前記圧接用電線（２１）を前記電線圧接作業部（５６）に載置された前記圧接コネクタ（３０）に圧接する電線圧接工程（Ｓ２０４）と、
前記圧接コネクタ（３０）に圧接された前記圧接用電線（２１）を前記非圧接用電線（２２）と共に布線板（７０）上の電線配索作業部（７１）に配索する電線配索工程（Ｓ２０５）と、
を含む圧接コネクタの取付方法。
【００７１】
［２］  前記外観識別手段（５２）は、色識別手段であることを特徴とする上記［１］に記載の圧接コネクタの取付方法。
【００７２】
［３］  前記電線選別工程（Ｓ２０２）と、前記電線圧接工程（Ｓ２０４）とが、前記布線板（７０）上で行われることを特徴とする上記［１］又は［２］に記載の圧接コネクタの取付方法。
【００７３】
［４］  前記圧接コネクタ（３０）はジョイントコネクタであることを特徴とする上記［１］〜［３］のいずれかに記載の圧接コネクタの取付方法。
【符号の説明】
【００７４】
２０  電線束
２１  圧接用電線
２２  非圧接用電線
３０  圧接コネクタ
５０  電線選別部
５２  外観識別手段
５６  電線圧接作業部
７０  布線板
７１  電線配索作業部
Ｓ２０１  電線供給工程
Ｓ２０２  電線選別工程
Ｓ２０３  コネクタ載置工程
Ｓ２０４  電線圧接工程
Ｓ２０５  電線配索工程
【図１】
0006621232.tif 000002
【図２】
0006621232.tif 000003
【図３】
0006621232.tif 000004
【図４】
0006621232.tif 000005
【図５】
0006621232.tif 000006
【図６】
0006621232.tif 000007
【図７】
0006621232.tif 000008
【図８】
0006621232.tif 000009
【図９】
0006621232.tif 000010
【図１０】
0006621232.tif 000011